(57)【要約】【課題】燃料効率を向上させることが可能な空調システムを提供する。【解決手段】空調システム１は、太陽熱により水を加熱する太陽熱温水器１０と、蒸発器２１、吸収器２２、再生器２３及び凝縮器２４による循環サイクルによって室内機３０にて使用される冷水を得る吸収式冷凍機２０とを備えている。太陽熱温水器１０は、加熱により得られた温水を給湯式冷凍機２０に供給する。吸収式冷凍機２０は、蒸発器２１にて蒸発した冷媒を吸収器２２内の吸収液にて吸収し、冷媒を吸収した吸収液を再生器２３に供給すると共に、吸収器２２から再生器２３に供給される吸収液を、太陽熱温水器１０からの温水によって暖める。【選択図】図１
2012067950.tif 000002
【特許請求の範囲】
【請求項１】
太陽熱により水を加熱する太陽熱温水器と、
蒸発器、吸収器、再生器及び凝縮器による循環サイクルによって空調機にて使用される冷水を得る吸収式冷凍機と、を備え、
前記太陽熱温水器は、加熱により得られた温水を前記給湯式冷凍機に供給し、
前記吸収式冷凍機は、前記蒸発器にて蒸発した冷媒を前記吸収器内の吸収液にて吸収し、冷媒を吸収した吸収液を再生器に供給すると共に、前記吸収器から前記再生器に供給される吸収液を、前記太陽熱温水器からの温水によって暖める
ことを特徴とする空調システム。
【発明の詳細な説明】
【技術分野】
【０００１】
本発明は、空調システムに関する。
【背景技術】
【０００２】
従来、蒸発器、吸収器、再生器及び凝縮器の循環サイクルによって冷水を得ると共に、この冷水を空調機に供給して冷房に利用する吸収式冷凍機が知られている。この吸収式冷凍機では、蒸発した冷媒を吸収器内の吸収液により吸収する。これにより、吸収液は濃度が低下することとなる。このため、吸収液の濃度を高めるべく、吸収液を凝縮器に供給して加熱し、吸収液に吸収された冷媒を蒸発させることとしている（特許文献１参照）。
【先行技術文献】
【特許文献】
【０００３】
【特許文献１】特開２００７−２４４０６号公報
【発明の概要】
【発明が解決しようとする課題】
【０００４】
ここで、特許文献１に記載の吸収式冷凍機では、バーナ等の熱源を有し、この熱源によって凝縮器内の吸収液を加熱する。このため、特許文献１に記載の吸収式冷凍機では、バーナ等の熱源に燃料を供給する必要があり、燃料効率を考慮すると、供給する燃料はできるだけ少ない方が望ましい。
【０００５】
本発明はこのような従来の課題を解決するためになされたものであり、その発明の目的とするところは、燃料効率を向上させることが可能な空調システムを提供することにある。
【課題を解決するための手段】
【０００６】
本発明の空調システムは、太陽熱により水を加熱する太陽熱温水器と、蒸発器、吸収器、再生器及び凝縮器による循環サイクルによって空調機にて使用される冷水を得る吸収式冷凍機と、を備え、前記太陽熱温水器は、加熱により得られた温水を前記給湯式冷凍機に供給し、前記吸収式冷凍機は、前記蒸発器にて蒸発した冷媒を前記吸収器内の吸収液にて吸収し、冷媒を吸収した吸収液を再生器に供給すると共に、前記吸収器から前記再生器に供給される吸収液を、前記太陽熱温水器からの温水によって暖めることを特徴とする。
【０００７】
この空調システムによれば、吸収器から再生器に供給される吸収液を、太陽熱温水器からの温水によって暖めるため、再生器に供給された時点では吸収液はある程度加熱された状態となっている。これにより、吸収液内の冷媒を蒸発させるために必要となる加熱熱量が削減されることとなり、バーナ等の熱源に供給する燃料を減らすことができる。従って、燃料効率を向上させることができる。
【発明の効果】
【０００８】
本発明によれば、燃料効率を向上させることが可能な空調システムを提供することができる。
【図面の簡単な説明】
【０００９】
【図１】本発明の実施形態に係る空調システムの一例を示す構成図である。
【発明を実施するための形態】
【００１０】
以下、本発明の好適な実施形態を図面に基づいて説明する。図１は、本発明の実施形態に係る空調システムの一例を示す構成図である。
【００１１】
本実施形態に係る空調システム１は、図１に示すように、太陽熱温水器１０と、吸収式冷凍機２０と、室内機（空調機）３０と、冷却塔４０とを備えている。太陽熱温水器１０は、給水された水を太陽熱により加熱すると共に、加熱によって得られた湯水を、湯水配管１１を通じて宅内に供給するものである。湯水配管１１は、吸収式冷凍機２０内を通過しており、具体的には後述の接続配管２５に巻き付くように配索されている。
【００１２】
吸収式冷凍機２０は、蒸発器２１、吸収器２２、再生器２３及び凝縮器２４を備え、これらによる循環サイクルによって室内機３０にて使用される冷水を得るものである。以下、吸収式冷凍機２０の詳細について室内機３０及び冷却塔４０と共に説明する。
【００１３】
蒸発器２１は、冷媒である水を蒸発させるものである。この蒸発器２１内には室内機３０から伸びるパイプ３１が配置されている。また、蒸発器２１内は、略真空状態となっている。このため、冷媒である水の蒸発温度は約５℃となる。よって、パイプ３１上に落ちた水はパイプ３１の温度によって蒸発することとなる。さらに、パイプ３１内には水が流れる構成となっており、冷媒である水の蒸発により温度が奪われる。これにより、パイプ３１内の水は冷水として室内機３０に供給される。室内機３０では、冷水を利用して冷風を室内に供給することとなる。
【００１４】
吸収器２２は、蒸発器２１において蒸発した冷媒を吸収するものである。この吸収器２２内には、冷媒である水を吸収する吸収液が満たされている。吸収液としては、例えば臭化リチウムが用いられる。また、吸収式冷凍機２０は、吸収器２２と再生器２３とを接続する接続配管２５を備えており、冷媒である水を吸収した吸収液は再生器２３に供給される。
【００１５】
再生器２３は、冷媒である水を吸収したことによって濃度が低下した吸収液の濃度を高めるものである。この再生器２３には、バーナが隣接配置され、バーナの火力によって吸収液が加熱されるようになっている。これにより、濃度が低下した吸収液から水を蒸発させて、吸収液の濃度を高める。濃度が高められた吸収液は吸収器２２に供給される。
【００１６】
凝縮器２４は、バーナの加熱によって蒸発した水を液化させるものである。この凝縮器２４内には冷却塔４０から伸びるパイプ４１が配置されている。このパイプ４１には冷却塔４０から供給される冷却水が流れるようになっており、蒸発した水はパイプ４１内の冷却水によって液化する。液化した水は再度蒸発器２１に供給されることとなる。
【００１７】
特に、本実施形態に係る空調システム１では、湯水配管１１が接続配管２５に巻き付くように配索されている。このため、吸収器２２から再生器２３に供給される吸収液は、太陽熱温水器１０にて加熱された湯水によって暖められることとなる。このため、再生器２３に供給された時点では吸収液はある程度加熱された状態となっている。これにより、吸収液内の冷媒を蒸発させるために必要となる加熱熱量が削減されることとなり、バーナ等の熱源に供給する燃料を減らすことができる。
【００１８】
次に、本実施形態に係る空調システム１の動作を説明する。まず、太陽熱温水器１０に水が供給され、太陽熱によって加熱される。そして、太陽熱温水器１０によって加熱された湯水は、湯水配管１１を通じて吸収式冷凍機２０に供給される。その後、太陽熱温水器１０からの湯水は宅内に供給される。
【００１９】
また、吸収式冷凍機２０では蒸発器２１内において冷媒である水が蒸発する。この蒸発によってパイプ３１内の水が冷却され、室内機３０における冷房運転に使用される。また、蒸発した冷媒は吸収器２２における吸収液に吸収される。これにより、吸収液の濃度は低下し、濃度が低下した吸収液は接続配管２５を通じて再生器２３に供給される。また、吸収液は接続配管２５を流れる過程において太陽熱温水器１０からの湯水によって暖められる。そして、再生器２３には、或る程度暖められた吸収液が供給されることとなる。
【００２０】
再生器２３ではバーナによって吸収液が加熱され、吸収液内の水が蒸発する。この際、吸収液はある程度暖められているため、バーナに供給される燃料ガスの量は、暖めていない場合と比較して抑えられることとなる。そして、水の蒸発によって濃度が高められた吸収液は吸収器に供給され、蒸発した水は凝縮器２４において液化する。液化した水は再度蒸発器２１に供給される。
【００２１】
このようにして、本実施形態に係る空調システム１によれば、吸収器２２から再生器２３に供給される吸収液を、太陽熱温水器１０からの温水によって暖めるため、再生器２３に供給された時点では吸収液はある程度加熱された状態となっている。これにより、吸収液内の冷媒を蒸発させるために必要となる加熱熱量が削減されることとなり、バーナ等の熱源に供給する燃料を減らすことができる。従って、燃料効率を向上させることができる。
【００２２】
以上、実施形態に基づき本発明を説明したが、本発明は上記実施形態に限られるものではなく、本発明の趣旨を逸脱しない範囲で、変更を加えてもよい。例えば、本実施形態に係る空調システム１において湯水配管１１は接続配管２５に巻き付いているが、特に巻き付く構成に限らず、熱交換できるようになっていればよい。
【符号の説明】
【００２３】
１…空調システム
１０…太陽熱温水器
１１…湯水配管
２０…吸収式冷凍機
２１…蒸発器
２２…吸収器
２３…再生器
２４…凝縮器
２５…接続配管
３０…室内機（空調機）
３１…パイプ
４０…冷却塔
４１…パイプ
【図１】
2012067950.tif 000003